(57)【要約】【課題】腰周りの位置で装着でき、必要に応じて身体の周囲を移動させることができる携帯プリンタを提供する。【解決手段】携帯プリンタ１０の裏側には、腰ベルト２４を挿通可能なベルト通し穴２２を備えたベルト通し２０が設けられている。腰ベルト２４をベルト通し穴２２に挿通すると、腰ベルト２４はベルト通し穴２２の内部に設けられた板ばね２７と内壁２５とで所定の付勢力にて挟持され、腰ベルト２４上で携帯プリンタ１０が不用意に動くことが規制される。【選択図】  図３
2004276490.tif 000002
【特許請求の範囲】
【請求項１】
携帯プリンタ本体背面に、腰ベルトが挿通可能なベルト通し穴を有して腰ベルトに支持されることを特徴とする携帯プリンタ。
【請求項２】
前記ベルト通し穴に、腰ベルトの滑り止め部材を設けたことを特徴とする請求項１に記載の携帯プリンタ。
【発明の詳細な説明】
【０００１】
【発明の属する技術分野】
本発明は携帯プリンタに係り、特に腰ベルトに装着して携帯される携帯プリンタに関する。
【０００２】
【従来の技術】
従来の携帯プリンタでは、プリンタ本体に設けられたクリップで作業者の腰ベルトを両側から挟み込んで、腰ベルトに装着するものが知られている（特許文献１参照）。
【０００３】
【特許文献１】
特開２００１−５８７４３号公報
【０００４】
【発明が解決しようとする課題】
しかし、このような携帯プリンタでは、作業者が身体に装着したまま腰ベルト上の位置を自由に変更できないため、机の間などの狭い場所を通行するときや、作業者がかがんだ場合（前傾姿勢時）に携帯プリンタが邪魔になったり、クリップが腰ベルトから外れて携帯プリンタが落下し、破損してしまうなどの不具合があった。
【０００５】
一方、ショルダーベルトを介して携帯プリンタを肩から下げ、携帯するようにしたものも知られているが、ショルダーベルトは作業者の歩行時や前傾姿勢時に携帯プリンタが身体の周囲で動き易く、携帯プリンタを周辺の異物などにぶつけてしまうなど、携帯プリンタを安定して保持できないという欠点があった。
【０００６】
本発明は、このような事情に鑑みてなされたもので、腰周りの位置で装着でき、必要に応じて身体の周囲を移動させることができる携帯プリンタを提供することを目的とする。
【０００７】
【課題を解決するための手段】
本発明は前記目的を達成するために、携帯プリンタ本体背面に、腰ベルトが挿通可能なベルト通し穴を有して腰ベルトに支持されることを特徴としている。
【０００８】
本発明によれば、携帯プリンタ本体背面に腰ベルトを挿通可能なベルト通し穴を設けて、このベルト通し穴に腰ベルトを通して支持するので、携帯プリンタが腰ベルトからはずれてしまうことがない。また、腰周り方向で携帯プリンタを移動でき、前傾姿勢時に邪魔にならない位置まで携帯プリンタを移動できる。
【０００９】
請求項２に記載された本発明によれば、このベルト通し穴に、腰ベルトの滑り止め部材を設けたので、携帯プリンタが不用意に移動することなく、腰周りの定位置で安定して装着できる。
【００１０】
【発明の実施の形態】
以下、添付図面に従って、本発明に係る携帯プリンタについて詳説する。図１は、作業者に装着した携帯プリンタ１０を示す図である。
【００１１】
携帯プリンタ１０は、その下部にラベルロール（図示せず）を収納する収納部１２を備えている。ラベルロールは収納部１２の内部で回転自在に支持され、ラベルロールから引き出されたラベル１６が携帯プリンタ１０内部の図示しない印字部まで供給される。印字部には不図示のプラテンローラやサーマルヘッドが設けられ、プラテンローラによって引き出されたラベルに対し、サーマルヘッドにて値段やバーコードなどが印字される。
【００１２】
携帯プリンタ１０の上面には、図２に示すように操作部１５が設けられている。この操作部１５には、携帯プリンタ１０の電源スイッチ１７やプリントボタン１９などが設けられている。プリントボタン１９を押し操作することによって、収納部１２に収納されたラベルロールからラベルが引き出されて印字部に供給され、ラベルへの印字が行われる。印字されたラベル１６は携帯プリンタ１０の正面に設けられたラベル取出口１４から排紙される（図１参照）。
【００１３】
なお、携帯プリンタ１０の内部には不図示のデータ受信部が設けられ、たとえば赤外線通信ハンディターミナルなどの送信手段から印字データの信号が送信される。また、携帯プリンタ１０には前記データ受信部と回路接続された不図示のメモリが内蔵され、データ受信部にて受信した印字データがメモリにて記憶される。このほかにも携帯プリンタ１０には、携帯プリンタ１０の各部に電力を供給する内蔵式バッテリ、ラベル用紙を送出するフィードボタン、ラベル用紙交換時に収納部１２の扉を開閉する開閉レバーなどが設けられている。
【００１４】
携帯プリンタ１０の裏側（背面）にはベルト通し２０が設けられている。ベルト通し２０は、その中央に腰ベルト２４を携帯プリンタ１０の横方向に挿通可能なベルト通し穴２２を備えている。ベルト通し穴２２の内側には、図３に示すように滑り止め部材を構成する板ばね２７が設けられている。この板ばね２７は、ベルト通し穴２２の携帯プリンタ１０本体側の内壁２３から突設され、内壁２３に対向するベルト通し穴２２の内壁２５に当接して内壁２５を付勢する（図３破線）。同図に示すように腰ベルト２４をベルト通し穴２２に挿通すると、腰ベルト２４は板ばね２７と内壁２５とで所定の付勢力にて挟持され、腰ベルト２４上で携帯プリンタ１０が不用意に動くことが規制される。
【００１５】
図１において、腰ベルト２４にはタング２６とバックル２８からなるベルトロック機構が備えられている。タング２６の嵌合部をバックル２８に嵌合させればタング２６がバックル２８に固定され、腰ベルト２４を作業者の腰部に装着できる。バックル２８には不図示の長さ調整機構が設けられ、腰ベルト２４を作業者の好みの長さに調整できる。なお、符号２９は赤外線通信ハンディターミナルなどを吊り下げる吊下用フックである。
【００１６】
次に、上記の如く構成された携帯プリンタ１０の作用を説明する。
【００１７】
携帯プリンタ１０を腰部に装着するには、図１に示すように腰ベルト２４を作業者の身体（腰周り）に巻き回し、携帯プリンタ１０を腰周りに引き寄せてから、タング２６をバックル２８に嵌合させる。携帯プリンタ１０を作業者の腰周りに引き寄せて装着でき、作業者が携帯プリンタ１０を手に持って持ち運ぶ場合と比して、携帯プリンタ１０の携帯性が向上する。
【００１８】
図４に示す前傾姿勢時の場合、腰周りで腰ベルト２４に沿って携帯プリンタ１０を邪魔にならない位置まで移動させることができる（図４上矢印Ａ）。腰ベルト２４はベルト通し穴２２に挿通されているので、腰ベルト２４から携帯プリンタ１０がはずれてしまうこともない。また、腰ベルト２４は板ばね２７と内壁２５とで挟持されているので（図３参照）、携帯プリンタ１０が腰周りで不用意に動いてしまうこともない。
【００１９】
このように、本発明によれば、携帯プリンタ１０を腰周りの位置で安定して装着できる。また、携帯プリンタ１０が腰周りで不用意に移動せず、煩雑とならずに携帯プリンタ１０を携帯できる。
【００２０】
次に、本発明に係る携帯プリンタの第２の実施の形態について詳説する。
【００２１】
図５に示す携帯プリンタ４０の背面には、ベルト通し４２，４２が２箇所設けられ、これらは所定の間隔をもって配置されている。
【００２２】
ベルト通し４２，４２には、その中央に腰ベルト２４を携帯プリンタ４０の横方向に対して挿通可能なベルト通し穴４４，４４が形成されている。また、夫々のベルト通し４２，４２は、その長手方向が携帯プリンタ４０の高さ方向に対して平行となるように配置されている。すなわち、携帯プリンタ４０を作業者の腰周りに装着すると、ベルト通し４２，４２は腰周り方向に対して略垂直方向に位置する。
【００２３】
ベルト通し４２，４２の間には、滑り止め部材を構成する不図示の板ばねが設けられている。この板ばねは、携帯プリンタ４０背面に突設され、腰ベルト２４をベルト通し穴４４，４４に挿通すると、腰ベルト２４は板ばねの付勢作用によってベルト通し穴４４，４４の内壁４５，４５方向に付勢され、内壁４５，４５に当接する。
【００２４】
上記の如く構成された携帯プリンタ４０の使用方法や装着方法などは、前記携帯プリンタ１０と同様であるのでその説明を省略する。
【００２５】
次に、上記の如く構成された携帯プリンタ４０の作用を説明すると、少なくとも２箇所に設けられたベルト通し４２，４２によって、腰がベルト通し４２，４２の間に収まり、携帯プリンタ４０が腰周りにフィットする。また、携帯プリンタ４０を作業者の腰周りに引き寄せて装着できるので、携帯プリンタ４０の携帯性が向上する。
【００２６】
図４に示した前傾姿勢時でも、携帯プリンタ４０を腰周りで腰ベルト２４に沿って移動できるので（図４上矢印Ａ）、携帯プリンタ４０が邪魔になることもない。この際、腰ベルト２４に作用する板ばねの付勢作用によって、携帯プリンタ４０が腰周りで不用意に動いてしまうこともない。
【００２７】
なお、本発明に係る携帯プリンタは、上述した実施の形態に限定されるものではない。たとえば、ベルト通し２０、ベルト通し４２，４２などの材料にゴム材などの軟質材を用いれば、腰ベルト２４の損傷を防止できる。
【００２８】
【発明の効果】
以上、説明したように、本発明に係る携帯プリンタによれば、携帯プリンタ本体背面に腰ベルトを挿通可能なベルト通し穴を設けたので、携帯プリンタが腰ベルトからはずれてしまうことがない。また、腰周り方向で携帯プリンタを移動できるので、前傾姿勢時には邪魔にならない位置まで携帯プリンタを移動できる。
【図面の簡単な説明】
【図１】本発明の実施の形態に係る携帯プリンタの作業者への装着例を示す斜視図
【図２】本発明の実施の形態に係る携帯プリンタの詳細を示す背面斜視図
【図３】本発明の実施の形態に係る携帯プリンタの詳細を示す平面図
【図４】本発明の実施の形態に係る携帯プリンタの作用を示す斜視図
【図５】本発明の実施の形態に係る別の携帯プリンタの詳細を示す背面斜視図
【符号の説明】
１０，４０…携帯プリンタ、２０，４２…ベルト通し、２２，４４…ベルト通し穴、２４…腰ベルト、２７…板ばね
【図１】
2004276490.tif 000003
【図２】
2004276490.tif 000004
【図３】
2004276490.tif 000005
【図４】
2004276490.tif 000006
【図５】
2004276490.tif 000007